(57)【要約】【課題】産業廃棄物として１００％の再利用を可能とし、どの個所の中仕切り板を手指でつかんで持上げても、中仕切り板が抜けたりしない強度を保持すると共に、パレットに何段積重しても変形しない中仕切り板付き収納ケース及び底なし仕切り板体を提供する。【解決手段】四辺形状底板の各辺部を延設するスロット付き外側板を形成し、底板と外側板との間に折り目を入れ、外側板のスロットに嵌挿する嵌合スロットを有する外側板より長目の中仕切り板を形成し、底板と外側板と中仕切り板が熱熔着性を有する合成樹脂製であると共に、底板に延設の各外側板を、折り目を介して折曲し、各外側板のスロットに中仕切り板のスロットを交差させ、各外側板より飛出する中仕切り板の耳部と一部の外側板の耳部を折曲し、耳部と各外側板とを所定の高温で熔着せしめ組立てる。【選択図】    図７
2005035626.tif 000002
【特許請求の範囲】
【請求項１】
四辺形状底板の各辺部を延設するスロット付き外側板を形成し、前記底板と外側板との間に折り目を入れ、前記外側板のスロットに嵌挿する嵌合スロットを有する前記外側板より長目の中仕切り板を形成し、前記底板と外側板と中仕切り板が熱熔着性を有する合成樹脂製であると共に、前記底板に延設の各外側板を、折り目を介して折曲し、前記各外側板のスロットに前記中仕切り板のスロットを交差させ、前記各外側板より飛出する前記中仕切り板の耳部と一部の外側板の耳部を折曲し、前記耳部と前記各外側板とを所定の高温で熔着せしめ組立てることを特徴とする中仕切り板付き収納ケース。
【請求項２】
前記底板と外側板と中仕切り板をポリプロピレン製とすることを特徴とする請求項１記載の中仕切り板付き収納ケース。
【請求項３】
合成樹脂製スロット付き中仕切り板を所定間隔をあけて並列し、前記中仕切り板とは別設のスロット付き中仕切り板を前記中仕切り板に交差させ、各中仕切り板のスロット同士を嵌合させ、外側に位置する中仕切り板より夫々飛出する各耳部を折曲し、前記外側に位置する中仕切り板と所定の高温度で熱熔着を施し組立てたことを特徴とする中仕切り板体。
【請求項４】
前記各中仕切り板を、ポリプロピレン製とすることを特徴とする請求項３記載の中仕切り板体。
【発明の詳細な説明】
【技術分野】
【０００１】
本発明は、産業廃棄物として１００％の再利用を可能とし、さらにどの個所の中仕切り板を手指でつかんで持上げても、中仕切り板が抜けたりしない強度を保持すると共に、パレットに何段でも積重しても変形したりしない中仕切り板付き収納ケース及び底なし仕切り板体の分野に関するものである。
【背景技術】
【０００２】
従来使用の紙製段ボールケースや合成樹脂製の段ボールケースは、各外側板より飛出する中仕切り板の耳部及び一部の外側板の耳部を折曲し、止め部材としてホッチキスの針やリベットを介して止着していた。従って止め部材が金属製のため、リサイクルをするときは、止め部材のホッチキスの針やリベット等を除去する作業を必要とし、リサイクル費用がかさんでいた。
【０００３】
さらに従来の紙製及び合成樹脂製段ボールケース並に発砲材ケースや中仕切り板体は、各耳部を止着する止め具が金属製のため、収納品にキズがつき易く、さらに前記止め具がケースと隣接する物品等に接触するとキズがつき損傷のおそれがあった。
【０００４】
また従来の段ボールケース等の中仕切り板を手指でつかんで持上げると、耳部の固定強度が弱いため、ややもすると外側板から離脱するおそれがあった。
【０００５】
さらに前記の段ボールケースと別個に、底板がなくスロット付き仕切り板を直行させ組立てた別設のケース内に収納して使用する仕切り専用の中仕切り板体の場合も、外側仕切り板より飛出している各耳部の止着手段も、ホッチキスの針やリベットが使用されていた。そのため前記した段ボール箱と同じ弊害があった。
【発明の開示】
【発明が解決しようとする課題】
【０００６】
本発明の中仕切り板付き収納ケース及び中仕切り板体は、底板を有する中仕切り板付き収納ケース及び底板を有しない中仕切り板体を構成する各構成部材（底板、外側板、中仕切り板）が、所定の高温度、例えば１３０℃〜１８０℃で熔着する合成樹脂の中、ポリプロピレン資材を使用し、前記ケース及び中仕切り板体を構成するロット付き外側板及び外側に位置するロット付き中仕切り板より飛出する各耳部等を折曲し前記した所定の高温度で耳部と外側板又は外側に位置する中仕切り板の外側面とを熔着せしめ組立てるようにして、前記外側板に前記各耳部が強固に固着し、区分された仕切り部内に各種物品等が収納され、全体として相当の重量があったとしても、中仕切り板を両手の手指でつかみ持上げても、前記中仕切り板が抜出したりしない構造にした。
【０００７】
さらに本発明の収納ケース及び中仕切り板体は、耳部を固着させる手段に、金属製のホッチキス針や金属製のリベット等を不用にして、用済後はそのままリサイクルしても外側板と中仕切り板をそのまま裁断してチップ状にし、さらにペレット状に加工して、種々の2次製品の製造することができる等、リサイクル化の費用を著しく節減させることができる。
【０００８】
また本発明の収納ケースは、中仕切り板の耳部の止め具として前記したとおりホッチキスの針やリベットを使用しないので、被収納物を損傷しない。
【０００９】
さらに本発明の収納ケース及び中仕切り板体は、中仕切り板の耳部の止め具としてホッチキスの針やリベットが使用されていないので、前記針やリベットの各々の折曲状の脚部によって作業者らの手指を損傷させることもなく、安心して作業ができる。
【００１０】
また本発明の収納ケース及び中仕切り板体は、耳部の止め手段として、ホッチキスの針やリベットを使用しないので、製作費を著しく節減することが可能となった。
【課題を解決するための手段】
【００１１】
請求項１記載の発明は、四辺形状底板の各辺部を延設するスロット付き外側板を形成し、前記底板と外側板との間に折り目を入れ、前記外側板のスロットに嵌挿する嵌合スロットを有する前記外側板より長目の中仕切り板を形成し、前記底板と外側板と中仕切り板が熱熔着性を有する合成樹脂製であると共に、前記底板に延設の各外側板を、折り目を介して折曲し、前記各外側板のスロットに前記中仕切り板のスロットを交差させ、前記各外側板より飛出する前記中仕切り板の耳部と一部の外側板の耳部を折曲し、前記耳部と前記各外側板とを所定の高温で熔着せしめ組立てることを特徴とする中仕切り板付き収納ケースである。
【００１２】
請求項２記載の発明は、前記底板と外側板と中仕切り板をポリプロピレン製とすることを特徴とする請求項１記載の中仕切り板付き収納ケースである。
【００１３】
請求項３記載の発明は、合成樹脂製スロット付き中仕切り板を所定間隔をあけて並列し、前記中仕切り板とは別設のスロット付き中仕切り板を前記中仕切り板に交差させ、各中仕切り板のスロット同士を嵌合させ、外側に位置する中仕切り板より夫々飛出する各耳部を折曲し、前記外側に位置する中仕切り板と所定の高温度で熱熔着を施し組立てたことを特徴とする中仕切り板体である。
【００１４】
請求項４記載の発明は、前記各中仕切り板を、ポリプロピレン製とすることを特徴とする請求項３記載の中仕切り板体である。
【発明の効果】
【００１５】
請求項１記載の発明の中仕切り板付き収納ケース及び中仕切り板体は、四辺形状底板の各辺部を延設するスロット付き外側板を形成し、前記底板と外側板との間に折り目を入れ、前記外側板のスロットに嵌挿する嵌合スロットを有する前記外側板より長目の中仕切り板を形成し、前記底板と外側板と中仕切り板が熱熔着性を有する合成樹脂製であると共に、前記底板に延設の各外側板を、折り目を介して折曲し、前記各外側板のスロットに前記中仕切り板のスロットを交差させ、前記各外側板より飛出する前記中仕切り板の耳部と一部の外側板の耳部を折曲し、前記耳部と前記各外側板とを所定の高温で熔着せしめ組立てた中仕切り板付き収納ケースなので、用済後は直ちにリサイクル装置の破砕機等にかけてチップ状とし、さらにペレット状にして２次製品を製造可能とする等、資源の有効利用を実現せしめると共に、産廃処理を不要にした。
【００１６】
さらに本発明の中仕切り板付き収納ケース及び中仕切り板体は、各耳部の止着手段に、従来のようなホッチキス針やリベットを使用しないので、収納品を損傷させたり、あるいは作業者らの手指が引掛り怪我をすることも解消された。
【００１７】
また本発明の中仕切り板付き収納ケース及び中仕切り板体は、各仕切り部内に物品等を収納後、所定個所の中仕切り板を無意識の中に手指でつかんで持上げても、耳部が強固に固着されているので、容易に離脱しない。従って安心して、どの個所の中仕切り板を手指で掴んでも持ち運びが可能である。
【００１８】
さらに本発明の中仕切り板付き収納ケース及び中仕切り板体は、外側板と中仕切り板との各耳部と外側板との止着を所定の高温度での熱熔着としたので、組立て作業効率を著しくアップし、比例して製品コストをも著しく節減させた。
【００１９】
請求項２記載の発明の中仕切り板付き収納ケース及び中仕切り板体は、前記底板と外側板と中仕切り板をポリプロピレン製とする中仕切り板付き収納ケースなので、請求項１記載の効果と同じ効果を有している。
【００２０】
請求項３記載の発明の中仕切り板付き収納ケース及び中仕切り板体は、合成樹脂製スロット付き中仕切り板を所定間隔をあけて並列し、前記中仕切り板とは別設のスロット付き中仕切り板を前記中仕切り板に交差させ、各中仕切り板のスロット同士を嵌合させ、外側に位置する中仕切り板より夫々飛出する各耳部を折曲し、前記外側に位置する中仕切り板と所定の高温度で熱熔着を施し組立てた中仕切り板体なので、請求項１記載の発明の効果と同じ効果を有している。
【００２１】
請求項４記載の発明の中仕切り板付き収納ケース及び中仕切り板体は、前記各中仕切り板を、ポリプロピレン製とする中仕切り板体なので、請求項３記載の発明と同じ効果を有している。
【発明を実施するための最良の形態】
【００２２】
請求項１〜４記載の発明に関する実施の形態は共通しているので、一括して以下のとおり説明する。
【００２３】
図面において、ａは底板１を有する収納ケースである。この収納ケースａは、四辺形状底板１の各辺部を延設して４枚のスロット２付き外側板３、４、５、６を形成する。前記スロット２は各外側板３、４、５、６の上面部より内側方に前記各外側板３、４、５、６の高さの２分の１の長さまで切込まれている。そして前記スロット２は所定の間隔を設けている。７は底板１に対し各外側板３、４、５、６が折曲を容易にする罫線である。８は外側板４、５の下方部の罫線７の延長線上の外側板２、３に、前記外側板２、３の高さと同じ長さだけ切込んで形成した切込み部である。前記切込み部８は図１の場合４個所形成されている。
【００２４】
以上の各構成部材をもって収納ケース材９とする。そしてこの収納ケース材９は、所定の温度、例えば約１８０℃で熱熔着が可能な合成樹脂例えばポリプロピレン製である。
【００２５】
１０は外側板５、６の左右両サイドの４個所だけ形成の耳部である。１１は前記各耳部１０を折曲させる罫線であり、４個所形成されている。
【００２６】
次に上記収納ケース材９を組立てるには、罫線７を介して各外側板３、４、５、６を底板１に対し直角状に折曲させる。上記のように折畳んだ後、後説の中仕切り板ｂを嵌込んで組立てる。  
【００２７】
前記収納ケース材９と一体となって組立てる中仕切り板ｂの具体的構成は以下のとおりである。
【００２８】
この仕切り板ｂも前記収納ケース材９と同じ合成樹脂例えばポリプロピレンを使用して形成する。
【００２９】
前記仕切り板ｂは、前記収納ケース材９を構成する４個の外側板３、４、５、６の中、対向する外側板のスロット２と交差状に嵌込むスロット１２を形成する。さらに本発明は前記仕切り板ｂとは長さが異なる合成樹脂例えばポリプロピレンの別個のスロット１２´付き中仕切り板ｂ´を使用してもよい。１３は前記中仕切り板ｂ、ｂ´の両端部に設けた耳部である。
【００３０】
さらに前記中仕切り板ｂ、ｂ´は図４のように各スロット１２、１２´を交差状に嵌合させ、さらに対向する外側板３、４と５、６の各スロット２に中仕切り板ｂ、ｂ´のスロット１２、１２´を嵌込み組立てる。
【００３１】
前記のように組立てられた収納ケース材９は、前記外側板５、６より突出の各耳部１０と、前記外側板３、４、５、６より突出の各中仕切り板ｂ、ｂ´の各耳部１３を折曲し、所定の高温度の約１８０℃で各外側板３、４、５、６と前記各耳部１０、１３とを熱熔着させる。この熔着個所は、接触面全面もしくは一部分とする。従って従来の手法のように、耳部の止着をホッチキス針もしくはリベットの使用を不要とした。
【００３２】
そして前記のように組立てられた収納ケースａは、単体でそのまま使用したり、あるいは、既存のプラスチック製の箱や金属製の箱等に収納し、収納された収納ケースａと前記箱とを接着テープ等を介して、がたつかないように止着し使用する。
【００３３】
さらに前記のように組立てられた収納ケースａは、前記中仕切り板ｂ、ｂ´によって仕切られた仕切り収納部１４が複数形成される。
【００３４】
そして前記各仕切り収納部１４内には、所定の物品が投入もしくは収納される。そして、前記のように収納された収納ケースａを他の場所に移動しようとして、中仕切り板ｂ、ｂ´を手指でつかみ持上げても、前記中仕切り板ｂ、ｂ´の各耳部１２が強固に接着されているので、接着個所が分離しない。従って各中仕切り板ｂ、ｂ´を手指でつかんでの運搬作業がスムーズにできる。
【００３５】
また本発明は、前記した収納ケース材９と２種類の中仕切り板ｂ、ｂ´とをもって組立てた収納ケースａ以外に、前記収納ケース材９と中仕切り板ｂもしくはｂ´の何れか一方のものとを組合わせて形成するものもある。このような収納ケースａの使用も前記した３つの部材をもって組立て形成するものと同じように単体で使用したり、あるいは別設ケース内に収納したりして種々の使用ができる。
【００３６】
さらに本発明は、前記した収納ケースａとは異なり、底板を有することなく、複数枚のスロット１２を有する中仕切り板体ｂを所定の間隔を設け、さらに前記中仕切り板ｂと別個の他の別設するスロット１２´を有する中仕切り板ｂ´を中仕切り板ｂ、ｂ´のスロット１２、１２´同士を交差させ嵌め合わせ組立てる。
【００３７】
前記中仕切り板ｂ、ｂ´の形状は図面図示のように限定しない。    
【００３８】
前記の中仕切り板ｂ、ｂ´に形成のスロット１２、１２´は、夫々の中仕切り板ｂ、ｂ´の高さの２分の１とする。
【００３９】
さらに前記中仕切り板ｂ、ｂ´の長さは図面図示のように限定しないが、少く共他方の中仕切り板ｂ´のスロット１２´は、一方の中仕切り板ｂのスロット１２が中仕切り板ｂの上面部より内側方に切込まれているのに対し、下面部より内側方に切込まれていることを条件とする。
【００４０】
上記のように各中仕切り板ｂ、ｂ´のスロット１２、１２´同士が嵌合させたとき同じ高さとなって組立てられる。
【００４１】
前記の各中仕切り板ｂ、ｂ´は、前記収納ケースａと同じ材質である。即ち合成樹脂のポリプロピレンのもので、所定の高温度、例えば約１８０℃で熔着するものを使用する。
【００４２】
前記のように組立てられた中仕切り板ｂ、ｂ´の各耳部１２、１２´を直角状に折曲し、前記した所定の高温で耳部１２、１２´と外側中仕切り板ｂ、ｂ´の表面と耳部１２、１２´の全面もしくは一部分を熱熔着させる。従って耳部１２、１２´の止着手段として、ホッチキス針もしくはリベットは一切使用しない。
【００４３】
以上のようにして組立て形成したものを中仕切り板体ｓとする。
【００４４】
この中仕切り板体ｓの使用方法は、既存のプラスチック容器、もしくは木製の箱や金属板製の箱等に収納して使用する。そのとき本発明の中仕切り板体ｓと前記箱とを固定するため、接着テープを前記中仕切り板体ｓを構成する中仕切り板ｂ、ｂ´の内側面に貼着する。
【００４５】
前記のように中仕切り板体ｓを別設する箱内に収納し、接着テープを介して固定した後、各仕切り板ｂ、ｂ´によって仕切られ形成した各仕切り部１３内に種々の物品を収納する。
【００４６】
そして、前記中仕切り板体ｓの中仕切り板ｂもしくは中仕切り板ｂ、ｂ´の一部を手指でつかみ持ち上げても、前記中仕切り板ｂもしくは中仕切り板ｂ´の耳部１２もしくは耳部１２´の接着個所が分離し抜けることはない。従って安心して箱を所定の場所に確実に持運びができる。
【００４７】
前記の収納ケースａ及び仕切り板体ｓが用済みとなったらそのまま破砕処理機等にかけチップ状に裁断し、チップ状となったものをペレットにする。さらにペレット化されたものを原料とする２次製品を製造することができる。
【００４８】
以上のように本発明の収納ケース及び中仕切り板体は、前記のように金属製のホッチキス針もしくはリベットを不使用にしたので、針もしくはリベットの脚部が外側板３、４、５、６や外側の中仕切り板ｂ、ｂ´の内側面もしくは外側面に表われていた従来のものと異なり、作業者らが作業時に前記外側板や外側の中仕切り板の内側面に手指を入れても、手指が針の脚部やリベットの脚部に引掛るおそれが全くない。
【図面の簡単な説明】
【００４９】
【図１】本発明中仕切り板付き収納ケースの組立て前の展開状態を示す平面図である。
【００５０】
【図２】図１の収納ケースの外側板を折畳んだときの正面図である。
【００５１】
【図３】図１の収納ケースの外側板を折畳んだときの右側面図である。
【００５２】
【図４】収納ケースを組立てた状態の平面図である。
【００５３】
【図５】本発明の底板なしの中仕切り板体の組立て時の状態を示す斜視図である。
【００５４】
【図６】図５の中仕切り板体を組立てた状態の斜視図である。
【００５５】
【図７】図６の中仕切り板体の各耳部を固着した状態の斜視図である。
【００５６】
【図８】第２実施例の中仕切り板体の平面図である。
【００５７】
【図９】図８の中仕切り板体を構成する仕切り板の正面図である。
【符号の説明】
【００５８】
ａ      収納ケース体
ｂ      中仕切り板
ｂ´    中仕切り板
ｓ      中仕切り板体
１      底板
２      スロット
３      外側板部
４      外側板部
５      外側板部
６      外側板部
７      罫線
８      切込み部
９      収納ケース材
１０    耳部
１１    折り目
１２    罫線
１２´  耳部
１３    耳部
１４    仕切り収納部
【図１】
2005035626.tif 000003
【図２】
2005035626.tif 000004
【図３】
2005035626.tif 000005
【図４】
2005035626.tif 000006
【図５】
2005035626.tif 000007
【図６】
2005035626.tif 000008
【図７】
2005035626.tif 000009
【図８】
2005035626.tif 000010
【図９】
2005035626.tif 000011